(57)【要約】【課題】鍵穴に外部から塵埃や雨水等が侵入するのを防止し、構成部品点数が少なく構成簡単で、しかも確実に安定して操作できるシリンダー錠を提供すること。【解決手段】ピン孔を有する外筒と、該外筒に回動自在に嵌装される内筒５と、内筒５の前部に設けられて、その移動により鍵穴６を開閉する蓋体２０とを備えたシリンダー錠において、蓋体２０は一対の分割部材２１、２２で構成し、この一対の分割部材２１、２２には鍵穴６に臨む内向き突部３０、３１を設け、この内向き突部３０、３１を内筒に形成したガイド溝７、７に嵌挿してあり、分割部材２１、２２の両方には鍵穴６を閉鎖する方向に付勢する付勢部材２８、２９を設けてある。そして、合鍵による施解錠操作が行なわれない常態時には、鍵穴６は一対の分割部材２１、２２で閉鎖され、合鍵による施解錠操作時には、分割部材の両方が付勢部材２８、２９の付勢力に抗して鍵穴６を開放するようにしてある。【選択図】 図５
2011169033.tif 000002
【特許請求の範囲】
【請求項１】
ピン孔を有する外筒と、該外筒に回動自在に嵌装されると共にピン孔と鍵穴とを有する内筒と、内筒の前部に、前記鍵穴の軸線方向と交差する方向に設けられて、その移動により鍵穴を開閉する蓋体とを備えたシリンダー錠において、
前記蓋体は一対の分割部材で構成すると共に、この一対の分割部材には鍵穴に臨む内向き突部を設け、この内向き突部を内筒に形成したガイド溝に嵌挿してあり、
さらに、前記分割部材の少なくとも一方には鍵穴を閉鎖する方向に付勢する付勢部材を備えてなり、
合鍵による施解錠操作が行なわれない常態時には、前記鍵穴は前記一対の分割部材で閉鎖され、合鍵による施解錠操作時には、少なくとも分割部材の一方が移動して鍵穴を開放するようにしてあることを特徴とするシリンダー錠。
【請求項２】
前記一対の分割部材の両方には、鍵穴を閉鎖する方向に付勢する付勢部材を設け、合鍵による施解錠操作時には、前記分割部材の両方が付勢部材の付勢力に抗して鍵穴を開放する方向に移動して鍵穴を開放するようにしてあることを特徴とする請求項１に記載のシリンダー錠。
【請求項３】
前記一対の分割部材の一方には鍵穴を閉鎖する方向に付勢する付勢部材を設けると共に、同分割部材の他方は内筒に固定すると共に上記付勢部材を設けず、合鍵による施解錠操作時には、前記分割部材の一方は付勢部材の付勢力に抗して鍵穴を開放する方向に移動して鍵穴を開放すると共に、分割部材の他方は内筒と一体に回動されるようにしてあることを特徴とする請求項１に記載のシリンダー錠。
【発明の詳細な説明】
【技術分野】
【０００１】
本発明は、鍵穴を閉塞する蓋体を設けたシリンダー錠に関する。
【背景技術】
【０００２】
従来、この種の鍵穴を閉塞する蓋体を設けたシリンダー錠としては、特許第４０２４３３６号公報（特許文献１）、実開平５−４５１７０号公報（特許文献２）が知られている。
【０００３】
前記特許文献１のシリンダー錠は、外筒と、該外筒に回動自在に嵌装されると共に鍵穴を有する内筒と、内筒の前端部に一体に回動自在に装着され、外方に向けて拡開する案内面を有するキーガイドカバーと、該キーガイドカバーの後部に形成された凹陥部に嵌装され、外方に向けて広がる案内面を有すると共に、相互に近接する方向に付勢された一対のシャッターとを設けてある。そして、一対のシャッターを相互に近接する方向に付勢するバネは、キーガイドカバーの凹陥部とカバープレートとの間に嵌装している。これにより、施解錠操作が行なわれない常態時には、キーカイドカバーの案内面とシャッターの接合部の案内面とが滑らかに接続されるように形成し、施解錠操作時には合鍵の尖り部を鍵穴の中心に誘導すると共に、同時にシャッターを開いて鍵穴に進入させるようにしたものである。
【０００４】
特許文献２のシリンダー錠は、外筒と、該外筒に回動自在に嵌装されると共に鍵穴を有する内筒と、外筒の前面部に設けたシリンダーカバーと、内部の前面部に形成した凹部に、鍵穴を開閉するために設けた２個のスライド部材と、両スライド部材を鍵穴の閉鎖方向へ付勢する圧縮コイルバネとを設け、この圧縮コイルバネは、２個のスライド部材と内筒の凹部との間に嵌装すると共に、前記２個のスライド部材の前面にはカバーを設けてなるものである。
【先行技術文献】
【特許文献】
【０００５】
【特許文献１】特許第４０２４３３６号公報
【特許文献２】実開平５−４５１７０号公報
【発明の概要】
【発明が解決しようとする課題】
【０００６】
しかしながら、特許文献１のシリンダー錠では、（ａ） 一対のシャッターは、キーガイドカバーの凹陥部と、該キーガイドカバーの後部に螺着されたカバープレートとの間に遊嵌され、内筒に直接に装着されていない。そのため、一対のシャッターを付勢するバネの配設状態や使用頻度等や、合鍵による施解錠操作時の外力の掛り具合等によっては、前記一対のシャッターが揺動して、合鍵が内筒の鍵穴に円滑に抜き差しし難い上に、合鍵と内筒とが一体に回動され難く、無理に合鍵に回転トルクを掛けると該合鍵が使用不可能となるという問題があった。
【０００７】
（ｂ） また、内筒の先端部にはキーガイドカバーを連結して固定すると共に、キーガイドカバーにカバープレートを固定する構成のために、部品点数も多く構造が複雑で、組付け作業も面倒であった。
【０００８】
（ｃ） 更に、前記キーガイドカバー、カバープレート、それらを固定するためのねじなどの構成部材や加工も必要とし、全体として高価となるだけでなく、頻繁に使用しているうちに連結部が弛むことなどにより、シャッターが作動不良となる等耐久性の点でも難点があった。
【０００９】
特許文献２のシリンダー錠では、（ｄ） ２個のスライド部材は、内筒の凹部と、内筒の前面に設けたカバーとの間に遊嵌され、内筒に直接に装着されていない。そのため、２個のスライド部材を付勢するバネの配設状態や使用頻度等や、合鍵による施解錠操作時の外力の掛り具合等によっては、前記２個のスライド部材が揺動して、合鍵が内筒の鍵穴に円滑に抜き差しし難い上に、合鍵と内筒とが一体に回動され難く、無理に合鍵に回転トルクを掛けると該合鍵が使用不可能となるという問題があった。
【００１０】
（ｅ） また、内筒の前端部にシリンダーカバーを固定すると共に、シリンダーカバーと内筒の前面との間にカバーを固定するために、部品点数も多く構造が複雑で、組付け作業も面倒であった。
【００１１】
（ｆ） 更に、前記シリンダーカバー、スライド部材の前面に固定したカバー、それらを固定するための構成部材や加工を必要とし、全体として高価となる難点があった。
【００１２】
本発明は、上記従来例のシリンダー錠の有する問題点（ａ）〜（ｆ）を解決しようとするものであり、鍵穴に外部から塵埃や雨水等が侵入するのを防止でき、簡単で、しかも確実に安定して操作できるシリンダー錠を提供することを目的とする。
【課題を解決するための手段】
【００１３】
上記目的を達成するため、本発明の請求項１のシリンダー錠は、ピン孔を有する外筒と、該外筒に回動自在に嵌装されると共にピン孔と鍵穴とを有する内筒と、内筒の前部に、前記鍵穴の軸線方向と交差する方向に設けられて、その移動により鍵穴を開閉する蓋体とを備えたシリンダー錠において、
前記蓋体は一対の分割部材で構成すると共に、この一対の分割部材には鍵穴に臨む内向き突部を設け、この内向き突部を内筒に形成したガイド溝に嵌挿してあり、
さらに、前記分割部材の少なくとも一方には鍵穴を閉鎖する方向に付勢する付勢部材を備えてなり、
合鍵による施解錠操作が行なわれない常態時には、前記鍵穴は前記一対の分割部材で閉鎖され、合鍵による施解錠操作時には、少なくとも分割部材の一方が移動して鍵穴を開放するようにしてあることを特徴とする。
【００１４】
請求項２のシリンダー錠は、前記請求項１において、前記一対の分割部材の両方には、鍵穴を閉鎖する方向に付勢する付勢部材を設け、合鍵による施解錠操作時には、前記分割部材の両方が付勢部材の付勢力に抗して鍵穴を開放する方向に移動して鍵穴を開放するようにしてあることを特徴とする。これは、一対の分割部材の両方が、合鍵による施解錠操作が行われない常態時には鍵穴を完全に閉鎖し、合鍵による施解錠操作時には鍵穴を開放するもので、蓋体つまり一対の分割部材の両方が開閉する両開き式の構成を有するものである。
この場合、鍵穴を閉鎖する方向に付勢する付勢部材は２個所（２個）必要である。
【００１５】
請求項３のシリンダー錠は、前記請求項１において、前記一対の分割部材の一方には鍵穴を閉鎖する方向に付勢する付勢部材を設けると共に、同分割部材の他方は内筒に固定すると共に上記付勢部材を設けず、合鍵による施解錠操作時には、前記分割部材の一方は付勢部材の付勢力に抗して鍵穴を開放する方向に移動して鍵穴を開放すると共に、分割部材の他方は内筒と一体に回動されるようにしてあることを特徴とする。これは、一対の分割部材の一方は、鍵穴を閉鎖し又は開放できる可動構造で、分割部材の他方は、常時に鍵穴を閉鎖することなく、合鍵による施解錠操作時には内筒と一体に回動される固定構造であって、前記一対の分割部材の一方のみが開閉する片開き式の構成を有するものである。
この場合、鍵穴を閉鎖する方向に付勢する付勢部材は１個所（１個）のみでよい。
【発明の効果】
【００１６】
請求項１のシリンダー錠によれば、前記蓋体は一対の分割部材で構成すると共に、前記分割部材の少なくとも一方には鍵穴を閉鎖する方向に付勢する付勢部材を備え、施解錠操作が行なわれない常態時には、前記鍵穴は前記付勢部材の付勢力により一対の分割部材で閉鎖されるから、施解錠操作が行われない常態時には、内筒の鍵穴へ塵埃や雨水等が侵入することがない。
しかも、前記一対の分割部材には鍵穴に臨む内向き突部を設け、この内向き突部を内筒に形成したガイド溝に嵌挿して、この一対の分割部材を内筒に直接に装着しているから、合鍵による施解錠操作時に、前記一対の分割部材が揺動することがない。そのため、合鍵が内筒の鍵穴に円滑に抜き差しできるばかりか、合鍵と内筒とが一体に回動され易く、従来例の如く合鍵に無理に回転トルクを掛ける必要がなくなり合鍵のみならず、シリンダー錠全体の耐久性の向上が計れる。
さらに、特許文献１に示す如きキーガイドカバーやカバープレートは不要であると共に、特許文献２に示す如きシリンダーカバーやカバーも不要であり、それらを固定するための複雑な構造も不要で、それらの面倒な組付け作業も必要としない上に、構成部材も少なく、安価なシリンダー錠を提供することができる。
【００１７】
請求項２のシリンダー錠によれば、請求項１の効果のほかに、蓋体である一対の分割部材の両方が開閉する両開き式の構成を有するものであるから、左右が対称の一対の分割部材を構成すればよいため、金型製作上も便利で、付勢部材であるバネも同一のものを採用できる利点がある。
【００１８】
請求項３のシリンダー錠によれば、請求項１の効果のほかに、蓋体である一対の分割部材の一方のみが可動構造で、他方は固定構造であって、一方の分割部材のみが開閉する片開き式の構成を有するものであるから、前記請求項２に記載の両開き式に比べて、構造が簡単であると共に、付勢手段（バネ）は１個のみでよいので部品代が節減でき、さらに、一方の分割部材だけを付勢手段（バネ）で付勢するものであるため、該分割部材の開閉の動きが円滑である。
【図面の簡単な説明】
【００１９】
【図１】本発明の実施例１の正面図である。
【図２】背面図である。
【図３】図１の要部横断面図である。
【図４】図１の要部縦断面図である。
【図５】図４のＡ−Ａ線断面図である。
【図６】図４のＢ−Ｂ線断面図である。
【図７】鍵穴に合鍵を差し込んだ状態の要部横断面図である。
【図８】鍵穴に合鍵を差し込んだ状態の要部縦断面図である。
【図９】図８のＡ−Ａ線断面図である。
【図１０】図８のＢ−Ｂ線断面図である。
【図１１】鍵穴に合鍵を差し込んで時計方向に４５度回動した状態の図８のＡ−Ａ線横断面図である。
【図１２】鍵穴に合鍵を差し込んで時計方向に４５度回動した状態の図８のＢ−Ｂ線縦断面図である。
【図１３】本発明の実施例２の正面図である。
【図１４】図１３の要部横断面図である。
【図１５】図１３の要部縦断面図である。
【図１６】図１５のＡ−Ａ線断面図である。
【図１７】図１５のＢ−Ｂ線断面図である。
【図１８】鍵穴に合鍵を差し込んだ状態の要部横断面図である。
【図１９】鍵穴に合鍵を差し込んだ状態の要部縦断面図である。
【図２０】図１９のＡ−Ａ線断面図である。
【図２１】図１９のＢ−Ｂ線断面図である。
【図２２】鍵穴に合鍵を差し込んで時計方向に４５度回動した状態の図１９のＡ−Ａ線横断面図である。
【図２３】鍵穴に合鍵を差し込んで時計方向に４５度回動した状態の図１９のＢ−Ｂ線縦断面図である。
【発明を実施するための形態】
【００２０】
本発明のシリンダー錠の実施の形態を以下に説明する。
このシリンダー錠は、ピン孔を有する外筒と、該外筒に回動自在に嵌装されると共にピン孔と鍵穴とを有する内筒と、内筒の前部に、前記鍵穴の軸線方向と交差する方向に設けられて、その移動により鍵穴を開閉する蓋体とを備えたシリンダー錠において、
前記蓋体は一対の分割部材で構成すると共に、この一対の分割部材には鍵穴に臨む内向き突部を設け、この内向き突部を内筒に形成したガイド溝に嵌挿してあり、
さらに、前記分割部材の少なくとも一方には鍵穴を閉鎖する方向に付勢する付勢部材を備えてなり、
合鍵による施解錠操作が行なわれない常態時には、前記鍵穴は前記一対の分割部材で閉鎖され、合鍵による施解錠操作時には、少なくとも分割部材の一方が移動して鍵穴を開放するようにしてあることを特徴とするものである。
以下に、蓋体である一対の分割部材の両方が開閉する両開き式の実施例１（図１〜図１２参照）と、前記一対の分割部材の一方は可動構造で、他方は固定構造で、一方の分割部材のみが開閉する片開き式の実施例２（図１３〜図２３参照）において、詳細に説明する。
【実施例１】
【００２１】
本発明の実施例１を図１〜図１２に基づいて以下に説明する。
このシリンダー錠１は、ピン孔（図示せず）を有する外筒２と、この外筒２に回動自在に嵌装されると共に、ピン孔（図示せず）と軸線方向（長手方向）に形成した鍵穴６とを有する内筒５と、内筒５の前部に、前記鍵穴６の軸線方向と交差する方向に設けられて、その移動により鍵穴６を開閉する蓋体２０と、この蓋体２０の前面を除く全周面と外筒２とを被蓋する外筒ケース１０と、この外筒ケース１０の前半部から前面の一部にかけて被覆するケースキャップ１１と、ケースキャップ１１及び外筒ケース１０の外周を被覆するカラー１２などを備えている。
【００２２】
なお、図３、図７で、１３は内筒５の後端部に連結した操作部材であって、この操作部材１３は、合鍵Ｋを把持して時計方向または反時計方向に回動することにより、内筒５と一体に回動されると共に、錠ケース（図示せず）に内装された施解錠操作部材（図示せず）を回動して錠杆（図示せず）を出没して施解錠する。また、図２、図３、図４、図７及び図８で、１４は取付柱である。
【００２３】
また、図３、図４、図７及び図８では、周知の如く、外筒２にはピン孔と上ピンと上ピンバネを有し、内筒５にはピン孔と下ピンを有するのであるが、本発明の要旨ではないので図示を省略している。
【００２４】
前記蓋体２０は、平面形状が半円形の左右一対の分割部材２１、２２で構成してあり、両分割部材２１、２２を合わせた状態では、図１に示す如く円形となるようにしてある。
【００２５】
そして、この各分割部材２１、２２は、前端部には後方（鍵穴対向側）から前方に向けて拡開するテーパー面２３、２４を形成し、両分割部材２１、２２を合致させた状態では略皿穴状の凹陥部２５となるようにして、合鍵Ｋを鍵穴６に誘導し易くしてある。
【００２６】
また、この一対の分割部材２１、２２には、図５、図９に示す如く、図面上で左端部と右端部（図３、図７では下端部と上端部）とにバネ受用凹部２６、２７を形成し、このバネ受用凹部２６、２７に付勢部材２８、２９たるコイルバネを設けて、これで両分割部材２１、２２が鍵穴６を閉鎖するように常時付勢している。
【００２７】
さらに、前記一対の分割部材２１、２２には、内筒５の鍵穴６に臨む内向き突部３０、３１を設けており、この内向き突部３０、３１を内筒５に形成したガイド溝７、７に嵌挿してある。このように内向き突部３０、３１が内筒５のガイド溝７、７に嵌挿する構成としているので、蓋体２０たる一対の分割部材２１、２２が、合鍵による施解錠操作時に、内筒５と一体に支障なく円滑に回動できる。
【００２８】
次に、本発明の実施例１の作用を図に基づいて以下に説明する。
合鍵による施解錠操が行なわれない常態時には、図１〜図６に示すように、一対の分割部材２１、２２は、それぞれの付勢部材２８、２９の付勢力によって、互いに近接する方向に付勢されて鍵穴６を閉鎖する。これにより、前述したように鍵穴６に塵埃や雨水等が侵入するのを防止できる。
【００２９】
上記状態で、図７〜図１０に示す如く、合鍵Ｋを鍵穴６に差し込むと、合鍵Ｋの先端部が一対の分割部材２１、２２のテーパー面２３、２４を押圧し、その押圧により両分割部材２１、２２は、付勢部材２８、２９の付勢力に抗して、鍵穴６側とは反対方向へ移動されて、鍵穴６を開放して、図７及び図８に示す如く合鍵Ｋが鍵穴６へ挿入される。
【００３０】
この状態で、図１１及び図１２に示す如く、合鍵Ｋを所定角度（例えば図１１及び図１２では時計方向に４５度）回動すると、一対の分割部材２１、２２は内筒５と一体に円滑かつ安定した状態で回動される。このとき、付勢部材２８、２９は、外筒ケース１０の内面壁面を摺接しながら移動する。なお、付勢部材２８、２９と外筒ケース１０の当接部にボール（図示せず）を介在させ、このボールを外筒ケース１０の内周壁面に摺動させる構成により、更に円滑な回動操作が可能とするなど適宜設計変更することができる。また、合鍵による内筒５の回動方向や回動角度は前述のものに限定されない。
【００３１】
合鍵Ｋを鍵穴６から抜き取ると、前記一対の分割部材２１、２２は、付勢部材２８、２９の付勢力により、図１、図３〜図６の通り、元の閉鎖状態に復帰する。
【実施例２】
【００３２】
本発明の実施例２を図１３〜図２３に基づいて以下に説明する。
この実施例２は、蓋体５０たる一対の分割部材５１、５２の一方は可動とし、他方は固定としたものであって、前記可動する一方の分割部材５２のみが開閉する片開き式のものである。
すなわち、この実施例２のシリンダー錠は、実施例１のシリンダー錠と比べて、一対の分割部材５１、５２の形状と作用が異なると共に、付勢部材を１個だけ設ける点で異なるものであって、その他の構成は実施例１のものと同様であるので、実施例１と同一符号を付すと共に、詳細は実施例１を参照するとよい。
【００３３】
この実施例２の蓋体５０は、一対の分割部材５１、５２を合わせた状態では図１３に示す如く円形となるものであって、同図で、円弧面が広く鍵穴６を被覆する分割部材の一方５２を可動とし、 円弧面が狭い分割部材の他方５１を固定構造としたものである。
【００３４】
この各分割部材５１、５２は、前端面には後方（鍵穴対向側）から前方に向けて拡開するテーパー面５３、５４を形成し、両分割部材５３、５４を合致させた状態では略皿穴状の凹陥部５５となるようにして、合鍵Ｋを鍵穴６に誘導し易くしてある。
【００３５】
前記分割部材の一方５２には、図１４、図１６、図１８、図２０及び図２２に示す如く、バネ受用凹部５７を形成し、このバネ受用凹部５７に付勢部材５９たるコイルバネを設けて、これで可動側の一方の分割部材５２が鍵穴６を閉鎖するようにしている。
【００３６】
一方、分割部材の他方５１は、図１４〜図２３に示す如く、常時鍵穴６を閉鎖することなく付勢部材を設けず内筒５に固定してある。
【００３７】
さらに、前記一対の分割部材５１、５２には、内筒５の鍵穴６に臨む内向き突部６０、６１を設けており、この内向き突部６０、６１を内筒５に形成したガイド溝７、７に嵌挿してある。このように構成しているので、合鍵による施解錠操作時に、可動制の他方の分割部材５２と内筒５と一体に支障なく円滑に回動できる。
【００３８】
この実施例２の作用を図に基づいて以下に説明する。
合鍵による施解錠操が行なわれない常態時には、図１３〜図１７に示すように、可動式の他方の分割部材５２は、その付勢部材５９の付勢力によって、固定式の一方の分割部材５１に近接する方向に付勢されて鍵穴６を閉鎖する。これにより、前述したように鍵穴６に塵埃や雨水等が侵入するのを防止できる。
【００３９】
上記状態で、図１８〜図２１に示す如く、合鍵Ｋを鍵穴６に差し込むと、合鍵Ｋの先端部が一対の分割部材５１、５２のテーパー面５３、５４に押圧され、その押圧により、可動式の他方の分割部材５２は、付勢部材５９の付勢力に抗して、鍵穴６側とは反対方向へ移動されて、鍵穴６を開放して、図１８及び図１９に示す如く合鍵Ｋが鍵穴６へ挿入される。
【００４０】
この状態で、図２２及び図２３に示す如く、合鍵Ｋを所定角度回動すると、一対の分割部材５１、５２は内筒５と一体に円滑かつ安定した状態で回動される。このとき、付勢部材５９は外筒ケース１０の内面壁面を摺接しながら移動する。
【００４１】
合鍵Ｋを鍵穴６から抜き取ると、前記可動式の他方の分割部材５２は、付勢部材５９の付勢力により、図１３、図１４〜図１７の通り、元の閉鎖状態に復帰する。
【００４２】
なお、実施例１及び２において、蓋体２０、５０たる分割部材（２１、２２）、（５１、５２）は、蓄光性材料で形成するとか、蛍光塗料等の蓄光性の塗装を施す方が好ましい。これによって、暗い場所や夜間等において鍵穴が容易に視認できる利点がある。
【符号の説明】
【００４３】
１                  シリンダー錠
２                  外筒
５                  内筒
６                  鍵穴
７                  ガイド溝
１０                外筒ケース
２０                蓋体
２１、２２          分割部材
２３、２４          テーパー面
２８、２９          付勢部材
３０                内向き突部
３１                内向き突部
５０                蓋体
５１、５２          分割部材
５３、５４          テーパー面
５９                付勢部材
６０                内向き突部
６１                内向き突部
Ｋ                  合鍵
【図１】
2011169033.tif 000003
【図２】
2011169033.tif 000004
【図３】
2011169033.tif 000005
【図４】
2011169033.tif 000006
【図５】
2011169033.tif 000007
【図６】
2011169033.tif 000008
【図７】
2011169033.tif 000009
【図８】
2011169033.tif 000010
【図９】
2011169033.tif 000011
【図１０】
2011169033.tif 000012
【図１１】
2011169033.tif 000013
【図１２】
2011169033.tif 000014
【図１３】
2011169033.tif 000015
【図１４】
2011169033.tif 000016
【図１５】
2011169033.tif 000017
【図１６】
2011169033.tif 000018
【図１７】
2011169033.tif 000019
【図１８】
2011169033.tif 000020
【図１９】
2011169033.tif 000021
【図２０】
2011169033.tif 000022
【図２１】
2011169033.tif 000023
【図２２】
2011169033.tif 000024
【図２３】
2011169033.tif 000025